(57)【要約】【課題】容易に小型化を図ることを可能にする。【解決手段】非常用照明器具は第２光源ユニット２を備える。第２光源ユニット２は、ＬＥＤ２０と、長尺の柱状に形成された導光体２１とを有する。導光体２１は、ＬＥＤ２０から放射される光が入射する入射面２１０を有する。導光体２１は、入射面２１０から入射する光を入射面２１０から離れる向きに導光する。導光体２１は、入射面２１０から離れる向きに導光する光の一部を長手方向に沿った側面から導光体２１の外に出射させるように構成されている。【選択図】        図５
2019153395.tif 000002
【特許請求の範囲】
【請求項１】
階段及び踊り場を含む避難通路を照明する非常用照明器具であって、
常用電源から給電されて点灯する第１光源ユニットと、
非常用電源から給電されて点灯する１つ以上の第２光源ユニットと、
前記第１光源ユニット及び前記第２光源ユニットを支持して前記踊り場の壁又は天井に取り付けられる器具本体と
を備え、
前記第２光源ユニットは、
固体発光素子と、
長尺の柱状に形成された導光体と
を有し、
前記導光体は、前記固体発光素子から放射される光が入射する入射面を前記導光体の長手方向の端面に有し、前記入射面から入射する光を前記導光体の長手方向に沿って前記入射面から離れる向きに導光し、かつ、前記入射面から離れる向きに導光する光の一部を前記導光体の長手方向に沿った側面から前記導光体の外に出射させるように構成されている、
非常用照明器具。
【請求項２】
前記器具本体は、前記第２光源ユニットを内部に収容して前記踊り場の壁に取り付けられ、かつ、前記器具本体の前面及び下面の少なくとも一方の面に、前記第２光源ユニットが発する光を出射する出射窓が設けられている、
請求項１記載の非常用照明器具。
【請求項３】
前記導光体の長手方向の端面に前記入射面が設けられている、
請求項１又は２記載の非常用照明器具。
【請求項４】
前記第２光源ユニットは、前記導光体から出射する光を前記器具本体の外に向けて反射する反射体を有する、
請求項１〜３のいずれか１項に記載の非常用照明器具。
【請求項５】
前記導光体の長手方向に沿った側面に複数の凹部が設けられている、
請求項１〜４のいずれか１項に記載の非常用照明器具。
【請求項６】
前記導光体の長手方向の端面に前記入射面が設けられており、
前記複数の凹部は、前記導光体の長手方向に沿った前記入射面からの距離が長くなるに連れて、隣り合う凹部の間隔を狭くするように設けられている、
請求項５記載の非常用照明器具。
【請求項７】
前記導光体の長手方向の端面に前記入射面が設けられており、
前記複数の凹部は、前記導光体の長手方向の中央部分からの距離が短くなるに連れて、隣り合う凹部の間隔を狭くするように設けられている、
請求項５記載の非常用照明器具。
【請求項８】
前記導光体は、前記導光体の長手方向の端面に前記入射面が設けられており、かつ、前記入射面からの距離が長くなるに連れて前記導光体の長手方向に直交する断面の面積を小さくするように構成されている、
請求項１〜７のいずれか１項に記載の非常用照明器具。
【請求項９】
前記導光体は、前記導光体の長手方向の端面に前記入射面が設けられており、
前記導光体は、更に、前記入射面から入射した光を前記長手方向に沿って導光しつつ前記長手方向に沿った側面から出射させるように構成され、
前記導光体の前記側面は、前記光が前記側面から出射する向きと逆向きにくぼんでいる、
請求項１〜８のいずれか１項に記載の非常用照明器具。
【請求項１０】
前記第２光源ユニットは、前記固体発光素子と前記導光体をそれぞれ複数有し、複数の前記導光体から出射する光の照射範囲が少なくとも部分的に重ならないように構成されている、
請求項１〜９のいずれか１項に記載の非常用照明器具。
【請求項１１】
複数の前記導光体は、それぞれ長尺の柱状に形成されている第１導光体と第２導光体を含み、
複数の前記固体発光素子は、前記第１導光体に光を入射する第１固体発光素子と、前記第２導光体に光を入射する第２固体発光素子とを含み、
前記第１導光体は、長尺の柱状に形成され、前記第１導光体の長手方向の端面に入射面が設けられており、
前記第１導光体は、更に、前記第１導光体の入射面から入射した光を前記第１導光体の長手方向に沿って導光しつつ前記第１導光体の長手方向に沿った側面から出射させるように構成され、
前記第２導光体は、長尺の柱状に形成され、前記第２導光体の長手方向の端面に入射面が設けられており、
前記第２導光体は、更に、前記第２導光体の入射面から入射した光を前記第２導光体の長手方向に沿って導光しつつ前記第２導光体の長手方向に沿った側面から出射させるように構成され、
前記第２光源ユニットは、前記第１導光体の前記側面と、前記第２導光体の前記側面とを前記器具本体に対して互いに異なる向きに傾けた状態で前記器具本体内に収容されている、
請求項１０記載の非常用照明器具。
【請求項１２】
前記第１導光体及び第２導光体はそれぞれ、前記第１導光体及び前記第２導光体の長手方向の端面に前記入射面が設けられており、かつ、前記入射面からの距離が長くなるに連れて前記導光体の長手方向に直交する断面の面積を小さくするように構成されている、
請求項１１記載の非常用照明器具。
【請求項１３】
前記第２光源ユニットは、前記第１固体発光素子と前記第２固体発光素子を、前記第１導光体及び前記第２導光体を挟んで対向させるように前記器具本体内に収容されている、
請求項１１又は１２記載の非常用照明器具。
【請求項１４】
前記導光体は、長尺の柱状に形成され、前記導光体の長手方向の端面に前記入射面が設けられており、かつ、前記長手方向の中央部分を前記器具本体の外に突き出させるように湾曲した形状に形成されている、
請求項１〜１３のいずれか１項に記載の非常用照明器具。
【請求項１５】
請求項１〜１４のいずれか１項の非常用照明器具が備える光源ユニットであって、
固体発光素子と、
長尺の柱状に形成された導光体と
を有し、
前記導光体は、前記固体発光素子から放射される光が入射する入射面を前記導光体の長手方向の端面に有し、前記入射面から入射する光を前記導光体の長手方向に沿って前記入射面から離れる向きに導光し、かつ、前記入射面から離れる向きに導光する光の一部を前記導光体の長手方向に沿った側面から前記導光体の外に出射させるように構成されている、
光源ユニット。
【発明の詳細な説明】
【技術分野】
【０００１】
本発明は、非常用照明器具及び光源ユニットに関し、より詳細には、踊り場の壁や天井などに設置される非常用照明器具、及び当該非常用照明器具が備える光源ユニットに関する。
【背景技術】
【０００２】
従来例として特許文献１記載の非常用照明器具を例示する。特許文献１記載の非常用照明器具（以下、従来例と呼ぶ。）は、常用光源ユニットと、２つの非常用光源ユニットと、器具本体と、非常用電源ユニットと、電池ユニットとを備える。器具本体は、長尺の矩形平板状に形成される背板と、長尺の矩形平板状であり、かつ、背板よりも短い上板及び下板とを有する。２つの非常用光源ユニットは、ＬＥＤ（Light Emitting Diode）と、ＬＥＤから放射される光の配光を制御するレンズと、ＬＥＤを保持するホルダとを備える。非常用光源ユニットは、器具本体の長手方向の両端に一つずつ取り付けられる。
【先行技術文献】
【特許文献】
【０００３】
【特許文献１】特開２０１７−５０２５７号公報
【発明の概要】
【発明が解決しようとする課題】
【０００４】
ところで、上記従来例のような非常用照明器具に対して小型化の要望がある。しかしながら、器具本体の長手方向の両端に非常用光源ユニットが一つずつ配置される上記従来例の構成では小型化を図りにくい。
【０００５】
本発明の目的は、容易に小型化を図ることが可能な非常用照明器具及び光源ユニットを提供することである。
【課題を解決するための手段】
【０００６】
本発明の一態様に係る非常用照明器具は、階段及び踊り場を含む避難通路を照明する。前記非常用照明器具は、常用電源から給電されて点灯する第１光源ユニットと、非常用電源から給電されて点灯する１つ以上の第２光源ユニットとを備える。前記非常用照明器具は、前記第１光源ユニット及び前記第２光源ユニットを支持して前記踊り場の壁又は天井に取り付けられる器具本体を備える。前記第２光源ユニットは、固体発光素子と、長尺の柱状に形成された導光体とを有している。前記導光体は、前記固体発光素子から放射される光が入射する入射面を前記導光体の長手方向の端面に有している。前記導光体は、前記入射面から入射する光を前記導光体の長手方向に沿って前記入射面から離れる向きに導光し、かつ、前記入射面から離れる向きに導光する光の一部を前記導光体の長手方向に沿った側面から前記導光体の外に出射させるように構成されている。
【０００７】
本発明の一態様に係る光源ユニットは、非常用照明器具が備える光源ユニットである。前記光源ユニットは、固体発光素子と、長尺の柱状に形成された導光体とを有する。前記導光体は、前記固体発光素子から放射される光が入射する入射面を前記導光体の長手方向の端面に有している。前記導光体は、前記入射面から入射する光を前記導光体の長手方向に沿って前記入射面から離れる向きに導光し、かつ、前記入射面から離れる向きに導光する光の一部を前記導光体の長手方向に沿った側面から前記導光体の外に出射させるように構成されている。
【発明の効果】
【０００８】
本発明の非常用照明器具及び光源ユニットは、容易に小型化を図ることを可能にするという効果がある。
【図面の簡単な説明】
【０００９】
【図１】図１Ａは、実施形態１の非常用照明器具の正面図である。図１Ｂは、同上の非常用照明器具の下面図である。
【図２】同上の非常用照明器具が設置された階段及び踊り場を示し、図２Ａは水平方向から見た概略図、図２Ｂは上方から見た概略図である。
【図３】図３は、同上の非常用照明器具の分解斜視図である。
【図４】図４は、同上の非常用照明器具の側面断面図である。
【図５】図５は、同上の非常用照明器具における第２光源ユニットの断面図である。
【図６】図６Ａは、同上の非常用照明器具の変形例１における第２光源ユニットの断面図である。図６Ｂは、同上の非常用照明器具の変形例２における第２光源ユニットの断面図である。図６Ｃは、同上の非常用照明器具の変形例３における第２光源ユニットの断面図である。図６Ｄは、同上の非常用照明器具の変形例４における第２光源ユニットの断面図である。図６Ｅは、同上の非常用照明器具の変形例５における第２光源ユニットの断面図である。図６Ｆは、同上の非常用照明器具の変形例６における第２光源ユニットの断面図である。
【図７】図７は、実施形態２の非常用照明器具の正面図である。
【図８】図８は、同上の非常用照明器具の側面断面図である。
【図９】図９Ａは、同上の非常用照明器具の変形例７における第２光源ユニットの一部省略した斜視図である。図９Ｂは、同上の第２光源ユニットの配光特性を示す図である。
【図１０】図１０Ａは、同上の非常用照明器具の変形例８における第２光源ユニットの一部省略した斜視図である。図１０Ｂは、同上の第２光源ユニットの配光特性を示す図である。
【図１１】図１１Ａは、同上の非常用照明器具の変形例９における第２光源ユニットの一部省略した斜視図である。図１１Ｂは、同上の第２光源ユニットの配光特性を示す図である。
【図１２】図１２は、同上の非常用照明器具の変形例１０における第２光源ユニットの一部省略した斜視図である。
【図１３】図１３Ａは、実施形態３の非常用照明器具の要部の斜視図である。図１３Ｂは、同上の非常用照明器具における第２光源ユニットの一部省略した斜視図である。
【図１４】図１４は、同上の非常用照明器具の変形例１１における第２光源ユニットの一部省略した斜視図である。
【図１５】図１５Ａは、同上の非常用照明器具の変形例１２の平面図である。図１５Ｂは、同上の非常用照明器具の変形例１３の平面図である。図１５Ｃは、同上の非常用照明器具の変形例１４の平面図である。
【図１６】図１６Ａは、実施形態４の非常用照明器具の斜視図である。図１６Ｂは、同上の非常用照明器具における第２光源ユニットの一部省略した斜視図である。
【図１７】図１７は、同上の非常用照明器具の変形例１５における第２光源ユニットの断面図である。
【発明を実施するための形態】
【００１０】
本発明の一態様に係る非常用照明器具の実施形態について、図面を参照して詳細に説明する。ただし、下記の実施形態において説明する各図は模式的な図であり、各構成要素の大きさや厚さそれぞれの比が必ずしも実際の寸法比を反映しているとは限らない。なお、以下の実施形態で説明する構成は本発明の一例にすぎない。本発明は、以下の実施形態に限定されず、本発明の効果を奏することができれば、設計等に応じて種々の変更が可能である。
【００１１】
［実施形態１］
実施形態１の非常用照明器具Ｘ１は、例えば、建物の避難経路となる階段Ｓ１、Ｓ２の踊り場Ｆ１の壁Ｗ１に設置される、いわゆる階段通路誘導灯である（図２Ａ及び図２Ｂ参照）。ただし、以下の説明では、特に断りのない限り、図３に矢印で示す向きにおいて非常用照明器具Ｘ１の前後、上下、左右の各方向を規定する。すなわち、鉛直方向を非常用照明器具Ｘ１の上下方向とし、壁Ｗ１の法線方向を非常用照明器具Ｘ１の前後方向とし、壁Ｗ１に正対したときの左右方向を非常用照明器具Ｘ１の左右方向とする。ただし、非常用照明器具Ｘ１は、建物の階段室の天井（踊り場の下面）に設置されてもかまわない。
【００１２】
非常用照明器具Ｘ１は、図１Ａ、図１Ｂ、図３及び図４に示すように、第１光源ユニット１と、第２光源ユニット２とを備える。非常用照明器具Ｘ１は、常用電源（商用の電力系統）から給電されて第１光源ユニット１を点灯させる第１点灯装置１３と、非常用電源（電池ユニット６）から給電されて第２光源ユニット２を点灯させる第２点灯装置４とを備える。非常用照明器具Ｘ１は、更に、第１光源ユニット１、第２光源ユニット２及び第２点灯装置４を支持して踊り場の壁に取り付けられる器具本体３を備える。
【００１３】
器具本体３は、長尺の矩形平板状に形成される背板３０と、背板３０の上端に取り付けられる上カバー３１と、背板３０の下端に取り付けられる下カバー３２と、背板３０の長手方向の両端から前方へ突き出る一対の側板３３とを有している（図３参照）。
【００１４】
上カバー３１は、長尺の矩形平板状に形成される上板３１０と、長尺の矩形平板状に形成されて上板３１０の前端から下向きに突き出る第１前板３１１とを有している（図３参照）。上カバー３１は、背板３０の上端から前方へ上板３１０を突き出させるようにして背板３０に取り付けられる。ただし、上板３１０と第１前板３１１とは、金属板が曲げ加工されることによって一体に形成されている。
【００１５】
下カバー３２は、長尺の矩形平板状に形成される下板３２０と、長尺の矩形平板状に形成されて下板３２０の前端から上向きに突き出る第２前板３２１とを有している（図１Ｂ及び図３参照）。下カバー３２は、背板３０の下端から前方へ下板３２０を突き出させるようにして背板３０に取り付けられる。ただし、下板３２０と第２前板３２１とは、金属板が曲げ加工されることによって一体に形成されている。
【００１６】
背板３０には、踊り場の壁に埋設されているアンカーボルトが挿通可能な複数（図示例では４つ）の長孔３００が長手方向に沿って、間隔を空けて設けられている（図３参照）。また、背板３０の長手方向のほぼ中央には、常用電源からの給電用の給電線が挿通される、複数（図示例では２つ）の丸孔３０１が長手方向に並ぶように設けられている。さらに、背板３０の前面における丸孔３０１の近傍には、複数（図示例では３つ）の端子台３４が取り付けられている（図３参照）。これらの端子台３４には、丸孔３０１から引き込まれる給電線や、建物に設置されている自動火災報知設備から火災信号を受信するための信号線などが電気的に接続される。
【００１７】
電池ユニット６は、ニッケル水素電池などの２次電池を複数有し、これら複数の２次電池が合成樹脂成形体のケースに収容されて構成される。なお、電池ユニット６は、背板３０の前面における左端の部位に取り付けられる（図３参照）。
【００１８】
第２点灯装置４は、常用電源から給電される交流電力を直流電力に変換して電池ユニット６を充電する充電回路と、常用電源が停電したときに電池ユニット６から第２光源ユニット２に供給される直流電流を調整する点灯回路とを有する。さらに、第２点灯装置４は、後述する点検スイッチが押操作されたとき、充電回路を強制的に停止し、かつ、電池ユニット６から給電される直流電力で点灯回路に第２光源ユニット２を点灯させるように構成される。なお、第２点灯装置４は、図３に示すように、背板３０の前面における右端の部位に取り付けられる。
【００１９】
点検スイッチは、スイッチブロック５に設けられている。スイッチブロック５は、合成樹脂製の箱体５０を有している（図４参照）。箱体５０には、押ボタンスイッチからなる点検スイッチ、赤外線を媒体とするワイヤレス信号を受信する受光素子などが収容されている。そして、箱体５０の下面には、複数の孔が設けられ、これらの孔を通して点検スイッチの押ボタンの押操作や、受光素子によるワイヤレス信号の受信が可能となっている。なお、第２点灯装置４は、受光素子でワイヤレス信号を受信した場合も、点検スイッチが押操作されたときと同じく、充電回路を強制的に停止し、かつ、電池ユニット６から給電される直流電力で点灯回路に第２光源ユニット２を点灯させる。
【００２０】
第１光源ユニット１は、図３に示すように、２つのＬＥＤモジュール１０と、２つのＬＥＤモジュール１０が一列に並べて取り付けられる取付部材１１とを備える。また、第１光源ユニット１は、２つのＬＥＤモジュール１０を覆うようにして取付部材１１に取り付けられるカバー１２と、第１点灯装置１３とを備える（図４参照）。
【００２１】
ＬＥＤモジュール１０は、長尺の矩形板状に形成された実装基板１００を有する。実装基板１００は、その前面に複数のＬＥＤ１０１が左右方向（長手方向）に沿って１列に並ぶように実装されている。なお、２つのＬＥＤモジュール１０は、一対のコネクタ１０２によって電気的に接続されている。
【００２２】
取付部材１１は、板金に曲げ加工を施すことでＵ字状に形成される。取付部材１１は、長尺かつ矩形板状に形成された底板１１０と、底板１１０の上端及び下端からそれぞれ後方に突き出た一対の側板１１１とを有する。これら一対の側板１１１の後端には、図４に示すように、互いに離れる向き（外向き）に湾曲する引掛部１１２がそれぞれ全長にわたって設けられる。なお、上述した２つのＬＥＤモジュール１０は、例えば、取付部材１１の底板１１０の一部を切り起こすことで形成された爪により、取付部材１１に固定される。
【００２３】
また、取付部材１１は、長手方向における両端寄りの位置において、鉤形の先端を上側の引掛部１１２よりも上方に突き出させた一対の引掛金具（不図示）と、上側の側板１１１の下に配置される一対の引掛ばね１１４とを有している（図４参照）。なお、一対の引掛ばね１１４は、ねじりコイルばねで構成され、両端を後方に向けるように上側の側板１１１に取り付けられる（図４参照）。
【００２４】
第１点灯装置１３は、常用電源から供給される交流電力を直流電力に変換し、当該直流電力を２つのＬＥＤモジュール１０に供給して点灯させるように構成される。第１点灯装置１３は、取付部材１１の後面側において、例えば、ねじなどを用いて側板１１１に取り付けられる（図４参照）。
【００２５】
カバー１２は、光拡散性を有する材料（例えば乳白色のアクリル樹脂）により後面（取付部材１１側の面）が開口する長尺の矩形の箱状に形成されている（図３及び図４参照）。カバー１２の後面における上下両側の端部には、図４に示すように、後方へ突き出た突壁部１２０が長手方向の全長にわたってそれぞれ設けられている。これら一対の突壁部１２０の後端には、内向き（上側の突壁部１２０では下向き、下側の突壁部１２０では上向き）に突き出る突起部１２１がそれぞれ設けられている。カバー１２は、一対の突壁部１２０の突起部１２１が、取付部材１１の一対の側板１１１の引掛部１１２にそれぞれ引っ掛かることにより、取付部材１１の前面を覆うように取付部材１１に取り付けられる（図４参照）。
【００２６】
上述のように構成される第１光源ユニット１は、一対の引掛金具の鉤形の先端が器具本体３の背板３０に設けられる受け金具３０３に引っ掛けられる。さらに、第１光源ユニット１は、一対の引掛ばね１１４の両端が、器具本体３の背板３０に設けられている引掛板３０２の溝の縁に引っ掛けられることで器具本体３に取り付けられる（図４参照）。
【００２７】
第２光源ユニット２は、本発明の一態様に係る光源ユニットの実施形態である。第２光源ユニット２は、図５に示すように、固体発光素子であるＬＥＤ２０と、導光体２１と、ケース２２と、カバー２３とを有している。ＬＥＤ２０は、例えば、照明用白色ＬＥＤである。ただし、固体発光素子はＬＥＤに限定されず、例えば、有機エレクトロルミネッセンス素子などであってもかまわない。
【００２８】
導光体２１は、アクリル樹脂のような透光性を有する合成樹脂によって長尺の角柱状（図示例では直方体状）に形成されている。ただし、導光体２１は、ケイ酸塩ガラスや石英ガラスのような透光性を有する不燃材で形成されてもかまわない。
【００２９】
ケース２２は、アルミ又はアルミ合金のような金属材料によって長尺の角筒状に形成されている。ケース２２の長手方向に沿った４つの側面のうちの１つの側面（下面）に矩形の窓２２０が設けられている。
【００３０】
カバー２３は、ケイ酸塩ガラスや石英ガラスのような透光性を有する不燃材によって長尺の矩形平板状に形成されている。カバー２３は、ケース２２の窓２２０にはめ込まれてケース２２を密閉する。なお、カバー２３は、接着又はねじ止めなどの適宜の方法でケース２２と結合される。
【００３１】
ＬＥＤ２０は、その光軸がケース２２の長手方向と平行するようにケース２２内の長手方向の一端（図５における左端）に配置される。ただし、ＬＥＤ２０は、図示しない電線によって第２点灯装置４と電気的に接続され、第２点灯装置４から供給される直流電流によって発光（点灯）する。
【００３２】
導光体２１は、その長手方向の一方の端面（図５における左側の端面）をＬＥＤ２０と対向させるようにケース２２内に配置される。さらに、導光体２１の長手方向に沿った４つの側面のうちの１つの側面（下面）がカバー２３と接している。導光体２１は、ＬＥＤ２０と対向する端面（入射面２１０）に、ＬＥＤ２０から放射される光が入射される。入射面２１０から導光体２１に入射した光は、入射面２１０から離れる向き（図５における右向き）に導光される。さらに、導光体２１内を進行する光の一部が導光体２１の側面から導光体２１の外に出射し、カバー２３を透過してケース２２の外に放射される。
【００３３】
ここで、導光体２１内を進行する光は導光体２１の４つの側面から出射する。したがって、ＬＥＤ２０から放射される光のうちで導光体２１からカバー２３を通してケース２２の外に放射される光の割合（光の取り出し効率）を高めるため、ケース２２の内周面に反射体が設けられることが好ましい。反射体は、例えば、金属めっきや白色の塗料などで形成される。このようにケース２２の内周面に反射体が形成されることにより、導光体２１の側面（上面、前面、後面）から導光体２１の外に出射する光を反射体に反射させて第２光源ユニット２の光の取り出し効率の向上を図ることができる。
【００３４】
第２光源ユニット２は、図４に示すように、器具本体３の下カバー３２の下板３２０に取り付けられる。第２光源ユニット２の下面（カバー２３が設けられている面）は、下板３２０の長手方向の中央に開口する矩形の孔（出射窓３２２）を通して器具本体３の外に露出している（図１Ｂ参照）。つまり、第２光源ユニット２が放射する光は、出射窓３２２を通して器具本体３の外に出射される。
【００３５】
非常用照明器具Ｘ１は、例えば、図２Ｂに示すように、踊り場Ｆ１の壁Ｗ１における水平方向のほぼ中央に設置される。つまり、器具本体３の長手方向の中央に配置されている第２光源ユニット２は、上りの階段Ｓ１と下りの階段Ｓ２の境界に設置されている手すり壁Ｚ１と対向する。
【００３６】
第２光源ユニット２の照射範囲は、おおよそ、図２Ａ及び図２Ｂに示した一点破線Ｌ１及びＬ２に囲まれた範囲となる。つまり、実施形態１の非常用照明器具Ｘ１は、所望の配光特性を実現しつつ、特許文献１記載の従来例と比較して長手方向の寸法を短くして容易に小型化を図ることができる。なお、所望の配光特性とは、踊り場の床面及び階段の踏面などを、消防法などの法規で規定されている最低照度以上の照度で照明することが可能な配光特性である。
【００３７】
特許文献１記載の従来例において、１つの非常用光源ユニットが器具本体の長手方向の中央付近に取り付けられた場合、器具本体の長手方向の両端に非常用光源ユニットが一つずつ配置される場合と同等の配光特性を実現することは難しい。つまり、特許文献１記載の非常用光源ユニットは、点光源から放射される光をレンズによって配光制御している。そのため、手すり壁Ｚ１に対して非常用光源ユニットが左右方向にずれた場合、非常用光源ユニットの光の一部が手すり壁Ｚ１で遮られてしまう可能性がある。
【００３８】
これに対して、非常用照明器具Ｘ１では、第２光源ユニット２が線状光源であるので、手すり壁Ｚ１に対して第２光源ユニット２の長手方向の中心が左右方向に多少ずれた場合でも第２光源ユニット２の光が手すり壁Ｚ１で遮られにくいという利点がある。
【００３９】
次に、非常用照明器具Ｘ１の幾つかの変形例を例示する。ただし、以下に例示する変形例１〜６の非常用照明器具Ｘ１は、第２光源ユニット２以外の構成が共通しているので、各変形例１〜６における第２光源ユニット２についてのみ、その構成を図示して説明する。
【００４０】
まず、変形例１における第２光源ユニット２は、導光体２１のカバー２３と反対側の側面（上面）に複数の凹部２１１が設けられている（図６Ａ参照）。これら複数の凹部２１１は錐体面状（円錐面状又は角錐面状）に形成されている。凹部２１１内には、導光体２１を形成する材料（例えば、アクリル樹脂）の屈折率よりも屈折率の小さい物質である空気が存在している。つまり、導光体２１内を進行する光の一部が導光体２１と凹部２１１内の空気の界面（凹部２１１の内周面）で全反射されて導光体２１の下面から出射する。変形例１における第２光源ユニット２は、導光体２１の上面に複数の凹部２１１が設けられることにより、凹部２１１が設けられない場合と比較して、導光体２１の長手方向に沿った光量（カバー２３を通して出射される光量）のばらつきを抑えることができる。ただし、変形例１における第２光源ユニット２では、複数の凹部２１１は、導光体２１の長手方向に沿った入射面２１０からの距離が長くなるに連れて、隣り合う凹部２１１の間隔を狭くするように設けられている。つまり、入射面２１０からの距離が長くなるほど導光体２１内を進行する光が減少するが、入射面２１０からの距離が長い部分ほど多くの凹部２１１が配置されるので、導光体２１の長手方向に沿った光量のばらつきを更に抑えることができる。
【００４１】
変形例２における第２光源ユニット２は、図６Ｂに示すように、変形例１における第２光源ユニット２と同様に導光体２１の上面に複数の凹部２１１が設けられている。さらに、変形例２における第２光源ユニット２では、複数の凹部２１１は、導光体２１の長手方向の中央部分からの距離が短くなるに連れて、隣り合う凹部２１１の間隔を狭くするように設けられている。つまり、変形例２における第２光源ユニット２は、導光体２１の長手方向の中央部分ほど多くの凹部２１１が配置されるので、導光体２１の長手方向に沿った中央部分の光量の減少を抑えることができる。
【００４２】
変形例３における第２光源ユニット２は、図６Ｃに示すように、導光体２１が入射面２１０からの距離が長くなるに連れて導光体２１の長手方向に直交する断面の面積を小さくするように構成されている。言い換えると、変形例３における導光体２１は、入射面２１０から離れるにつれて導光体２１の上面が導光体２１の下面に近付く向きに傾斜する、角錐台状に形成されている。つまり、変形例３における第２光源ユニット２では、入射面２１０から入射する光の一部を導光体２１の傾斜した上面で全反射させることにより、導光体２１の長手方向に沿った光量のばらつきを更に抑えることができる。また、変形例３における第２光源ユニット２では、図６Ｃ示すように、変形例１における第２光源ユニット２と同様に導光体２１の上面に複数の凹部２１１が設けられている。さらに、これら複数の凹部２１１は、導光体２１の長手方向に沿った入射面２１０からの距離が長くなるに連れて、隣り合う凹部２１１の間隔を狭くするように設けられている。そのため、変形例３における第２光源ユニット２は、導光体２１の長手方向に沿った光量のばらつきを更に抑えることができる。
【００４３】
変形例４における第２光源ユニット２は、図６Ｄに示すように、導光体２１の上面に複数の突部２１３が設けられている。これら複数の突部２１３は錐体状（円錐状又は角錐状）に形成されている。つまり、導光体２１内を進行する光の一部が突部２１３内に進行し、突部２１３と空気の界面（突部２１３の内周面）で反射されて導光体２１の下面から出射する。変形例４における第２光源ユニット２は、導光体２１の上面に複数の突部２１３が設けられることにより、突部２１３が設けられない場合と比較して、導光体２１の長手方向に沿った光量のばらつきを抑えることができる。ただし、変形例４における第２光源ユニット２では、複数の突部２１３は、導光体２１の長手方向に沿った入射面２１０からの距離が長くなるに連れて、隣り合う突部２１３の間隔を狭くするように設けられている。つまり、入射面２１０からの距離が長くなるほど導光体２１内を進行する光が減少するが、入射面２１０からの距離が長い部分ほど多くの突部２１３が配置されるので、導光体２１の長手方向に沿った光量のばらつきを更に抑えることができる。
【００４４】
変形例５における第２光源ユニット２は、図６Ｅに示すように、導光体２１の上面に複数の反射部２１４が設けられている。これら複数の反射部２１３は、例えば、孔版印刷（スクリーン印刷）又はインクジェット印刷によって導光体２１の上面に付着されたインキで形成されている。つまり、導光体２１内を進行する光の一部が反射部２１４で反射（拡散反射又は混合反射）されて導光体２１の下面から出射する。変形例５における第２光源ユニット２は、導光体２１の上面に複数の反射部２１４が設けられることにより、反射部２１４が設けられない場合と比較して、導光体２１の長手方向に沿った光量のばらつきを抑えることができる。ただし、変形例５における第２光源ユニット２では、複数の反射部２１４は、導光体２１の長手方向に沿った入射面２１０からの距離が長くなるに連れて、隣り合う反射部２１４の間隔を狭くするように設けられている。つまり、入射面２１０からの距離が長い部分ほど多くの反射部２１４が配置されるので、導光体２１の長手方向に沿った光量のばらつきを更に抑えることができる。
【００４５】
変形例６における第２光源ユニット２は、図６Ｆに示すように、ＬＥＤ２０を２つ有している。一方のＬＥＤ２０は、導光体２１の長手方向の一方の端面（第１入射面２１０Ａ）と対向する位置に配置される。他方のＬＥＤ２０は、導光体２１の長手方向の他方の端面（第２入射面２１０Ｂ）と対向する位置に配置される。さらに、変形例６における導光体２１は、第１入射面２１０Ａ及び第２入射面２１０Ｂから導光体２１の長手方向の中央に向かうに連れて導光体２１の長手方向に直交する断面の面積を小さくするように構成されている。言い換えると、変形例６における導光体２１は、第１入射面２１０Ａ及び第２入射面２１０Ｂから導光体２１の中央に向かって導光体２１の上面がＶ字状に傾斜する角柱状に形成されている。変形例６における第２光源ユニット２では、第１入射面２１０Ａから入射する光及び第２入射面２１０Ｂから入射する光を導光体２１の傾斜した上面で全反射させることにより、導光体２１の長手方向に沿った光量のばらつきを更に抑えることができる。
【００４６】
［実施形態２］
実施形態２の非常用照明器具Ｘ２は、実施形態１の非常用照明器具Ｘ１と同じく階段通路誘導灯である。なお、実施形態２の非常用照明器具Ｘ２は、実施形態１の非常用照明器具Ｘ１と基本的な構成が共通しているので、共通する構成要素には同一の符号を付して適宜図示及び説明を省略する。
【００４７】
実施形態２の非常用照明器具Ｘ２は、器具本体３に対する第２光源ユニット２の配置場所が実施形態１の非常用照明器具Ｘ１と異なっている。すなわち、実施形態２における第２光源ユニット２は、図８に示すように、器具本体３の下カバー３２の第２前板３２１に取り付けられている。第２光源ユニット２のカバー２３が設けられている面（前面）は、第２前板３２１の長手方向の中央に開口する矩形の出射窓３２２を通して器具本体３の外に露出している（図７参照）。つまり、第２光源ユニット２が放射する光は、器具本体３の前面（第２前板３２１）に開口する出射窓３２２を通して器具本体３の外に出射される。なお、実施形態２における第２光源ユニット２は、実施形態１における第２光源ユニット２の変形例１〜６のいずれか一つの第２光源ユニット２と共通であってもかまわない。
【００４８】
次に、非常用照明器具Ｘ２の幾つかの変形例を例示する。ただし、以下に例示する変形例７〜１０の非常用照明器具Ｘ２は、第２光源ユニット２以外の構成が共通しているので、各変形例７〜１０における第２光源ユニット２についてのみ、その構成を図示して説明する。
【００４９】
まず、変形例７における第２光源ユニット２は、導光体２１のカバー２３と対向する側面（以下、「出射面２１２」と呼ぶ。）が導光体２１の内部に向かってくぼんでいる（図９Ａ参照）。例えば、変形例７における出射面２１２は、円筒面形状に形成されている。ただし、出射面２１２は、円筒面形状に限定されず、双曲面形状及び円錐面形状などの曲面形状に形成されてもよい。
【００５０】
変形例７における第２光源ユニット２の水平方向の配光特性及び鉛直方向の配光特性を図９Ｂに示す。ただし、図９Ｂにおいては、水平方向の配光特性を実線α１で示し、鉛直方向の配光特性を破線β１で示している。実線α１で示すように、変形例７における第２光源ユニット２は、壁面の法線方向を０°としたときに左方向及び右方向に各々約６０°の角度範囲まで光を照射することができる。また、破線β１で示すように、変形例７における第２光源ユニット２は、壁面の法線方向を０°としたときに上方向及び下方向に各々約４５°の角度範囲まで光を照射することができる。すなわち、変形例７の非常用照明器具Ｘ２は、出射面２１２がくぼんでいない場合、具体的には出射面２１２が平面であり、かつ出射面２１２の法線方向が壁面の法線方向と一致している場合に比べて、水平方向及び鉛直方向の照射範囲を広げることができる。
【００５１】
変形例８における第２光源ユニット２も変形例７と同様に、導光体２１の出射面２１２が導光体２１の内部に向かってくぼんでいる（図１０Ａ参照）。変形例８における導光体２１の出射面２１２は、法線方向を壁面の法線方向に対して上向きに数十°（例えば、約２０°）傾けた平面形状に形成されている。
【００５２】
変形例８における第２光源ユニット２の水平方向の配光特性及び鉛直方向の配光特性を図１０Ｂに示す。ただし、図１０Ｂにおいては、水平方向の配光特性を実線α２で示し、鉛直方向の配光特性を破線β２で示している。実線α２で示すように、変形例８における第２光源ユニット２は、壁面の法線方向を０°としたときに左方向及び右方向に各々約６０°の角度範囲まで光を照射することができる。また、破線β２で示すように、変形例８における第２光源ユニット２は、壁面の法線方向を０°としたときに上方向に約４５°の角度から下方向に約３０°の角度まで光を照射することができる。すなわち、変形例８の非常用照明器具Ｘ２は、出射面２１２がくぼんでいない場合に比べて、水平方向及び鉛直上向きの照射範囲を広げることができる。
【００５３】
変形例９における第２光源ユニット２も変形例７と同様に、導光体２１の出射面２１２が導光体２１の内部に向かってくぼんでいる（図１１Ａ参照）。変形例９における導光体２１の出射面２１２は、法線方向を壁面の法線方向に対して下向きに数十°（例えば、約２０°）傾けた平面形状に形成されている。
【００５４】
変形例９における第２光源ユニット２の水平方向の配光特性及び鉛直方向の配光特性を図１１Ｂに示す。ただし、図１１Ｂにおいては、水平方向の配光特性を実線α３で示し、鉛直方向の配光特性を破線β３で示している。実線α３で示すように、変形例９における第２光源ユニット２は、壁面の法線方向を０°としたときに左方向及び右方向に各々約６０°の角度範囲まで光を照射することができる。また、破線β３で示すように、変形例９における第２光源ユニット２は、壁面の法線方向を０°としたときに下方向に約４５°の角度から上方向に約３０°の角度まで光を照射することができる。すなわち、変形例９の非常用照明器具Ｘ２は、出射面２１２がくぼんでいない場合に比べて、水平方向及び鉛直下向きの照射範囲を広げることができる。
【００５５】
変形例１０における第２光源ユニット２は、変形例８における導光体２１（以下、上導光体２１Ａと呼ぶ。）と、変形例９における導光体２１（以下、下導光体２１Ｂと呼ぶ。）を有している。変形例１０における第２光源ユニット２では、下導光体２１Ｂの上に上導光体２１Ａが積み重なるように配置されている（図１２参照）。ただし、上導光体２１Ａの下側の側面（下面）と下導光体２１Ｂの上側の側面（上面）は接しておらず、上導光体２１Ａの下面と下導光体２１Ｂの上面の間に空気の層が設けられている。
【００５６】
変形例１０における第２光源ユニット２の水平方向の配光特性及び鉛直方向の配光特性は、図１０Ｂに示した変形例８の配光特性と、図１１Ｂに示した変形例９の配光特性とを重ね合わせた配光特性となる。つまり、変形例１０における第２光源ユニット２は、壁面の法線方向を０°としたときに上方向に約４５°の角度から下方向に約４５°の角度まで光を照射することができる。すなわち、変形例１０の非常用照明器具Ｘ２は、変形例８及び変形例９の各々の非常用照明器具Ｘ２と比較して、水平方向及び鉛直下向きの照射範囲を広げることができる。
【００５７】
［実施形態３］
実施形態３の非常用照明器具Ｘ３は、実施形態１の非常用照明器具Ｘ１及び実施形態２の非常用照明器具Ｘ２と同じく階段通路誘導灯である。なお、実施形態３の非常用照明器具Ｘ３は、実施形態１の非常用照明器具Ｘ１及び実施形態２の非常用照明器具Ｘ２と基本的な構成が共通しているので、共通する構成要素には同一の符号を付して適宜図示及び説明を省略する。
【００５８】
実施形態３の非常用照明器具Ｘ３は、第２光源ユニット２の構造に特徴がある。実施形態３における第２光源ユニット２は、第１ＬＥＤ２０Ａ及び第２ＬＥＤ２０Ｂの２つの固体発光素子と、第１導光体２１Ｃ及び第２導光体２１Ｄとを有している（図１３Ｂ参照）。
【００５９】
第１導光体２１Ｃは、長尺の四角錐台状に形成されている。第１導光体２１Ｃは、第１導光体２１Ｃの長手方向の一方の端面（面積の大きい方の端面）を入射面２１０Ｃとする。また、第１導光体２１Ｃは、第１導光体２１Ｃの長手方向に沿った斜面（前面）を出射面２１２Ｃとする。
【００６０】
第２導光体２１Ｄは、第１導光体２１Ｃと同一の形状及び同一の寸法を有する長尺の四角錐台状に形成されている。第２導光体２１Ｄは、第２導光体２１Ｄの長手方向の一方の端面（面積の大きい方の端面）を入射面２１０Ｄとする。また、第２導光体２１Ｄは、第２導光体２１Ｄの長手方向に沿った斜面（前面）を出射面２１２Ｄとする。つまり、第１導光体２１Ｃ及び第２導光体２１Ｄはそれぞれ、入射面２１０Ｃ、２１０Ｄからの距離が長くなるに連れて導光体２１Ｃ、２１Ｄの長手方向に直交する断面の面積を大きく小さくするように構成されている。
【００６１】
実施形態３における第２光源ユニット２では、第２導光体２１Ｄの上に第１導光体２１Ｃが積み重なるように配置されている（図１３Ｂ参照）。なお、第１導光体２１Ｃと第２導光体２１Ｄは、各々の長手方向の端面同士が同一平面上で隣り合うように配置されている。ただし、第１導光体２１Ｃの下側の側面（下面）と第２導光体２１Ｄの上側の側面（上面）は接しておらず、第１導光体２１Ｃの下面と第２導光体２１Ｄの上面の間に空気の層が設けられている。
【００６２】
第１ＬＥＤ２０Ａは、第１導光体２１Ｃの入射面２１０Ｃと対向する位置に配置されている。つまり、第１ＬＥＤ２０Ａから放射される光は、第１導光体２１Ｃの入射面２１０Ｃから第１導光体２１Ｃ内に入射する。入射面２１０Ｃから入射した光は、第１導光体２１Ｃ内を第１導光体２１Ｃの長手方向に進行しながら第１導光体２１Ｃの出射面２１２Ｃを通して第１導光体２１Ｃの前方へ出射する。
【００６３】
第２ＬＥＤ２０Ｂは、第２導光体２１Ｄの入射面２１０Ｄと対向する位置に配置されている。つまり、第２ＬＥＤ２０Ｂから放射される光は、第２導光体２１Ｄの入射面２１０Ｄから第２導光体２１Ｄ内に入射する。入射面２１０Ｄから入射した光は、第２導光体２１Ｄ内を第２導光体２１Ｄの長手方向に進行しながら第２導光体２１Ｄの出射面２１２Ｄを通して第２導光体２１Ｄの前方へ出射する。
【００６４】
実施形態３における第２光源ユニット２では、第１導光体２１Ｃの長手方向における入射面２１０Ｃと同じ側の端部の前端部分と、第２導光体２１Ｄの長手方向における入射面２１０Ｄと同じ側の端部の前端部分とがカバー２３の外（前方）に突き出ている（図１３Ａ参照）。そのため、実施形態３の非常用照明器具Ｘ３は、第１導光体２１Ｃ及び第２導光体２１Ｄがカバー２３の外に突き出ない場合と比較して、水平方向における配光特性を広げて器具本体３の左右両側の光量を増やすことができる。
【００６５】
ここで、踊り場の壁のうちで上り階段と平行な壁又は下り階段と平行な壁の少なくともいずれか一方の壁に、階数を表示するための表示板が設置される場合がある。実施形態３の非常用照明器具Ｘ３は、水平方向における配光特性を広げて器具本体３の左右両側の光量を増やすことにより、非常時照明中の表示板の視認性の向上を図ることができる。
【００６６】
次に、非常用照明器具Ｘ３の幾つかの変形例を例示する。ただし、以下に例示する変形例１１〜１４の非常用照明器具Ｘ３は、第２光源ユニット２以外の構成が共通しているので、各変形例１１〜１４における第２光源ユニット２についてのみ、その構成を図示して説明する。
【００６７】
まず、変形例１１における第２光源ユニット２は、第１導光体２１Ｃ及び第２導光体２１Ｄのそれぞれが直方体形状に形成されている。第１導光体２１Ｃは、長手方向の一方の端を入射面２１０Ｃとし、長手方向の他方の端部をカバーの外に突き出させるようにケース内に収容されている（図１４参照）。また、第２導光体２１Ｄは、長手方向の一方の端を入射面２１０Ｄとし、長手方向の他方の端部をカバーの外に突き出させるようにケース内に収容されている（図１４参照）。変形例１１の非常用照明器具Ｘ３もまた、水平方向における配光特性を広げて器具本体３の左右両側の光量を増やすことができる。
【００６８】
変形例１２における第２光源ユニット２では、直方体形状の第１導光体２１Ｃと、同じく直方体形状の第２導光体２１Ｄとが直線上に並ぶように配置されている（図１５Ａ参照）。また、第１ＬＥＤ２０Ａ及び第２ＬＥＤ２０Ｂは、器具本体３の長手方向の中央に、器具本体３の長手方向に沿って隣り合うように配置されている。
【００６９】
変形例１３における第２光源ユニット２では、直方体形状の第１導光体２１Ｃと、同じく直方体形状の第２導光体２１Ｄとが、上下方向から見てＶ字状に配置されている（図１５Ｂ参照）。さらに、第１導光体２１Ｃ及び第２導光体２１Ｄのそれぞれの長手方向の端部が、器具本体３の前面（図１５Ｂにおける下面）から前方（図１５Ｂにおける下方）に突き出ている。
【００７０】
変形例１４における第２光源ユニット２は、角錐台形状の第１導光体２１Ｃと、同じく角錐台形状の第２導光体２１Ｄとが直線上に並ぶように配置されている（図１５Ｃ参照）。さらに、第１導光体２１Ｃ及び第２導光体２１Ｄのそれぞれの長手方向の端部が、器具本体３の前面（図１５Ｃにおける下面）から前方（図１５Ｃにおける下方）に突き出ている。ただし、第１導光体２１Ｃ及び第２導光体２１Ｄは、それぞれの面積の大きい方の端面を入射面としている。よって、第１ＬＥＤ２０Ａ及び第２ＬＥＤ２０Ｂは、器具本体３の長手方向の両端に配置されて第１導光体２１Ｃ及び第２導光体２１Ｄの各々の入射面と対向している。
【００７１】
変形例１２〜１４の非常用照明器具Ｘ３もまた、水平方向における配光特性を広げて器具本体３の左右両側の光量を増やすことができる。
【００７２】
［実施形態４］
実施形態４の非常用照明器具Ｘ４は、実施形態１〜３の非常用照明器具Ｘ１〜Ｘ３と同じく階段通路誘導灯である。なお、実施形態４の非常用照明器具Ｘ４は、実施形態１の非常用照明器具Ｘ１及び実施形態２の非常用照明器具Ｘ２と基本的な構成が共通しているので、共通する構成要素には同一の符号を付して適宜図示及び説明を省略する。
【００７３】
実施形態４の非常用照明器具Ｘ４は、第２光源ユニット２の構造に特徴がある。実施形態４における第２光源ユニット２は、第１ＬＥＤ２０Ａ及び第２ＬＥＤ２０Ｂの２つの固体発光素子と、一つの導光体２１とを有している（図１６Ａ及び図１６Ｂ参照）。
【００７４】
導光体２１は、長尺の柱状であり、かつ、長手方向の中央部分を器具本体３の外（前方）に向けて突き出させるように湾曲した形状に形成されている。また、導光体２１の長手方向の両側の端面に入射面がそれぞれ設けられている。
【００７５】
第１ＬＥＤ２０Ａは、導光体２１の一方の入射面と対向する位置に配置される。第２ＬＥＤ２０Ｂは、導光体２１の他方の入射面と対向する位置に配置される（図１６Ｂ参照）。
【００７６】
実施形態４における第２光源ユニット２では、導光体２１の長手方向の中央部分がカバー２３の外（前方）に突出している（図１６Ａ参照）。そのため、実施形態４の非常用照明器具Ｘ４は、導光体２１がカバー２３の外に突出しない場合と比較して、水平方向における配光特性を広げて器具本体３の左右両側の光量を増やすことができる。
【００７７】
次に、非常用照明器具Ｘ４の変形例１５を説明する。ただし、変形例１５の非常用照明器具Ｘ４は、第２光源ユニット２以外の構成が共通しているので、第２光源ユニット２についてのみ、その構成を図示して説明する。
【００７８】
変形例１５における第２光源ユニット２は、導光体２１のカバー２３と反対側の側面（後面）に複数の凹部２１１が設けられている（図１７参照）。これら複数の凹部２１１は錐体面状（円錐面状又は角錐面状）に形成されている。凹部２１１内には、導光体２１を形成する材料（例えば、アクリル樹脂）の屈折率よりも屈折率の小さい物質である空気が存在している。
【００７９】
変形例１５における第２光源ユニット２は、導光体２１の後面に複数の凹部２１１が設けられることにより、凹部２１１が設けられない場合と比較して、導光体２１の長手方向に沿った光量（カバー２３を通して出射される光量）のばらつきを抑えることができる。複数の凹部２１１は、それぞれの頂点（錐体面の頂点）と底面（錐体面の底面）の重心（円錐の場合の円の中心）とを結ぶ直線Ｐ１〜Ｐ１０が一点で交わるように配置されることが好ましい（図１７参照）。なお、複数の凹部２１１は、直線Ｐ１〜Ｐ１０が互いに平行となるように配置されてもかまわない。ただし、直線Ｐ１〜Ｐ１０が一点で交わるように複数の凹部２１１が配置される構成の方が、直線Ｐ１〜Ｐ１０が互いに平行となるように複数の凹部２１１が配置される構成に比べて、器具本体３の左右両側の光量を増やすことができる。
【００８０】
なお、実施形態１〜４の非常用照明器具Ｘ１〜Ｘ４は、器具本体３の下面又は前面に出射窓３２２が設けられているが、器具本体３の下面と前面の両面に出射窓が設けられてもかまわない。例えば、下カバー３２の下板３２０の前端部と第２前板３２１の下端部とにまたがるように一つの出射窓が設けられればよい。
【００８１】
また、実施形態１〜４の非常用照明器具Ｘ１〜Ｘ４では、導光体２１が不燃物からなるカバー２３で覆われているが、導光体２１がケイ酸塩ガラスや石英ガラスのような透光性を有する不燃材で形成されれば、導光体２１をカバー２３で覆う必要はない。
【００８２】
上述のように本発明の第１の態様に係る非常用照明器具（Ｘ１〜Ｘ４）は、階段（Ｓ１、Ｓ２）及び踊り場（Ｆ１）を含む避難通路を照明する。非常用照明器具（Ｘ１〜Ｘ４）は、常用電源から給電されて点灯する第１光源ユニット（１）と、非常用電源から給電されて点灯する１つ以上の第２光源ユニット（２）とを備える。非常用照明器具（Ｘ１〜Ｘ４）は、第１光源ユニット（１）及び第２光源ユニット（２）を支持して踊り場（Ｆ１）の壁（Ｗ１）又は天井に取り付けられる器具本体（３）を備えている。第２光源ユニット（２）は、固体発光素子（ＬＥＤ２０）と、長尺の柱状に形成された導光体（２１）とを有している。導光体（２１）は、固体発光素子（ＬＥＤ２０）から放射される光が入射する入射面（２１０）を導光体（２１）の長手方向の端面に有している。導光体（２１）は、入射面（２１０）から入射する光を導光体（２１）の長手方向に沿って入射面（２１０）から離れる向きに導光するように構成されている。導光体（２１）は、更に、入射面（２１０）から離れる向きに導光する光の一部を導光体（２１）の長手方向に沿った側面から導光体（２１）の外に出射させるように構成されている。
【００８３】
第１の態様に係る非常用照明器具（Ｘ１〜Ｘ４）は、特許文献１記載の従来例と比較して長手方向の寸法を短くして容易に小型化を図ることを可能にする。
【００８４】
本発明の第２の態様に係る非常用照明器具（Ｘ１〜Ｘ４）は、第１の態様との組合せにより実現され得る。第２の態様に係る非常用照明器具（Ｘ１〜Ｘ４）において、器具本体（３）は、第２光源ユニット（２）を内部に収容して踊り場（Ｆ３）の壁（Ｗ１）に取り付けられることが好ましい。器具本体（３）は、器具本体（３）の前面及び下面の少なくとも一方の面に、第２光源ユニット（２）が発する光を出射する出射窓（３２２）が設けられていることが好ましい。
【００８５】
第２の態様に係る非常用照明器具（Ｘ１〜Ｘ４）は、器具本体（３）の前面及び下面の少なくとも一方の面に出射窓（３２２）が設けられるので、踊り場（Ｆ１）を適切に照明することができる。
【００８６】
本発明の第３の態様に係る非常用照明器具（Ｘ１〜Ｘ４）は、第１又は第２の態様との組合せにより実現され得る。第３の態様に係る非常用照明器具（Ｘ１〜Ｘ４）において、導光体（２１）の長手方向の端面に入射面（２１０）が設けられていることが好ましい。
【００８７】
第３の態様に係る非常用照明器具（Ｘ１〜Ｘ４）は、導光体（２１）の長手方向に沿った側面（出射面２１２）から光を出射させて光の照射範囲を広げることができる。
【００８８】
本発明の第４の態様に係る非常用照明器具（Ｘ１〜Ｘ４）は、第１〜第３の態様のいずれか一つとの組合せにより実現され得る。第４の態様に係る非常用照明器具（Ｘ１〜Ｘ４）において、第２光源ユニット（２）は、導光体（２１）から出射する光を器具本体（３）の外に向けて反射する反射体（ケース２２）を有することが好ましい。
【００８９】
第４の態様に係る非常用照明器具（Ｘ１〜Ｘ４）は、導光体（２１）から出射する光を反射体（ケース２２）に反射されることによって、第２光源ユニット（２）における光の取り出し効率の向上を図ることができる。
【００９０】
本発明の第５の態様に係る非常用照明器具（Ｘ１〜Ｘ４）は、第１〜第４の態様のいずれか一つとの組合せにより実現され得る。第５の態様に係る非常用照明器具（Ｘ１〜Ｘ４）において、導光体（２１）は、導光体（２１）の長手方向に沿った側面に複数の凹部（２１１）が設けられていることが好ましい。
【００９１】
第５の態様に係る非常用照明器具（Ｘ１〜Ｘ４）は、導光体（２１）内を進行する光の一部が導光体（２１）と凹部（２１１）内の空気の界面で全反射されて導光体（２１）の側面から出射するので、導光体（２１）の長手方向に沿った光量のばらつきを抑制できる。
【００９２】
本発明の第６の態様に係る非常用照明器具（Ｘ１〜Ｘ４）は、第５の態様との組合せにより実現され得る。第６の態様に係る非常用照明器具（Ｘ１〜Ｘ４）において、導光体（２１）の長手方向の端面に入射面（２１０）が設けられていることが好ましい。複数の凹部（２１１）は、導光体（２１）の長手方向に沿った入射面（２１０）からの距離が長くなるに連れて、隣り合う凹部（２１１）の間隔を狭くするように設けられていることが好ましい。
【００９３】
第６の態様に係る非常用照明器具（Ｘ１〜Ｘ４）は、導光体（２１）の長手方向に沿った光量のばらつきを更に抑えることができる。
【００９４】
本発明の第７の態様に係る非常用照明器具（Ｘ１〜Ｘ４）は、第５の態様との組合せにより実現され得る。第７の態様に係る非常用照明器具（Ｘ１〜Ｘ４）において、導光体（２１）の長手方向の端面に入射面（２１０）が設けられていることが好ましい。複数の凹部（２１１）は、導光体（２１）の長手方向の中央部分からの距離が短くなるに連れて、隣り合う凹部（２１１）の間隔を狭くするように設けられていることが好ましい。
【００９５】
第７の態様に係る非常用照明器具（Ｘ１〜Ｘ４）は、導光体（２１）の長手方向に沿った光量のばらつきを更に抑えることができる。
【００９６】
本発明の第８の態様に係る非常用照明器具（Ｘ１〜Ｘ４）は、第１〜第７の態様のいずれか一つとの組合せにより実現され得る。第８の態様に係る非常用照明器具（Ｘ１〜Ｘ４）において、導光体（２１）は、導光体（２１）の長手方向の端面に入射面（２１０）が設けられていることが好ましい。導光体（２１）は、入射面（２１０）からの距離が長くなるに連れて導光体（２１）の長手方向に直交する断面の面積を小さくするように構成されていることが好ましい。
【００９７】
第８の態様に係る非常用照明器具（Ｘ１〜Ｘ４）は、入射面（２１０）から入射する光の一部を導光体（２１）の傾斜した側面で全反射させることにより、導光体（２１）の長手方向に沿った光量のばらつきを更に抑えることができる。
【００９８】
本発明の第９の態様に係る非常用照明器具（Ｘ１〜Ｘ４）は、第１〜第８の態様のいずれか一つとの組合せにより実現され得る。第９の態様に係る非常用照明器具（Ｘ１〜Ｘ４）において、導光体（２１）は、導光体（２１）の長手方向の端面に入射面（２１０）が設けられていることが好ましい。導光体（２１）は、更に、入射面（２１０）から入射した光を長手方向に沿って導光しつつ長手方向に沿った側面（出射面２１２）から出射させるように構成されることが好ましい。導光体（２１）の側面（出射面２１２）は、光が側面（出射面２１２）から出射する向きと逆向きにくぼんでいる。
【００９９】
第９の態様に係る非常用照明器具（Ｘ１〜Ｘ４）は、側面（出射面２１２）がくぼんでいない場合に比べて、第２光源ユニット（２）の照射範囲を広げることができる。
【０１００】
本発明の第１０の態様に係る非常用照明器具（Ｘ２、Ｘ３）は、第１〜第９の態様のいずれか一つとの組合せにより実現され得る。第１０の態様に係る非常用照明器具（Ｘ２、Ｘ３）において、第２光源ユニット（２）は、固体発光素子（ＬＥＤ２０）と導光体（２１）をそれぞれ複数有することが好ましい。複数の導光体（上導光体２１Ａ、下導光体２１Ｂ、第１導光体２１Ｃ、第２導光体２１Ｄ）から出射する光の照射範囲が少なくとも部分的に重ならないように構成されていることが好ましい。
【０１０１】
第１０の態様に係る非常用照明器具（Ｘ２、Ｘ３）は、導光体（２１）が一つの場合と比較して、第２光源ユニット（２）の照射範囲を広げることができる。
【０１０２】
本発明の第１１の態様に係る非常用照明器具（Ｘ３）は、第１０の態様との組合せにより実現され得る。第１１の態様に係る非常用照明器具（Ｘ３）において、複数の導光体（２１）は、それぞれ長尺の柱状に形成されている第１導光体（２１Ｃ）と第２導光体（２１Ｄ）を含むことが好ましい。複数の固体発光素子は、第１導光体（２１Ｃ）に光を入射する第１固体発光素子（第１ＬＥＤ２０Ａ）と、第２導光体（２１Ｄ）に光を入射する第２固体発光素子（第２ＬＥＤ２０Ｂ）とを含むことが好ましい。第１導光体（２１Ｃ）は、長尺の柱状に形成され、第１導光体（２１Ｃ）の長手方向の端面に入射面（２１０Ｃ）が設けられていることが好ましい。第１導光体（２１Ｃ）は、更に、第１導光体（２１Ｃ）の入射面（２１０Ｃ）から入射した光を第１導光体（２１Ｃ）の長手方向に沿って導光しつつ第１導光体（２１Ｃ）の長手方向に沿った側面（出射面２１２Ｃ）から出射させるように構成されることが好ましい。第２導光体（２１Ｄ）は、長尺の柱状に形成され、第２導光体（２１Ｄ）の長手方向の端面に入射面（２１０Ｄ）が設けられていることが好ましい。第２導光体（２１Ｄ）は、更に、第２導光体（２１Ｄ）の入射面（２１０Ｄ）から入射した光を第２導光体（２１Ｄ）の長手方向に沿って導光しつつ第２導光体（２１Ｄ）の長手方向に沿った側面（出射面２１２Ｄ）から出射させるように構成されることが好ましい。第２光源ユニット（２）は、第１導光体（２１Ｃ）の側面（出射面２１２Ｃ）と、第２導光体（２１Ｄ）の側面（出射面２１２Ｄ）とを器具本体（３）に対して互いに異なる向きに傾けた状態で器具本体（３）内に収容されていることが好ましい。
【０１０３】
第１１の態様に係る非常用照明器具（Ｘ３）は、第２光源ユニット（２）の照射範囲を更に広げることができる。
【０１０４】
本発明の第１２の態様に係る非常用照明器具（Ｘ３）は、第１１の態様との組合せにより実現され得る。第１２の態様に係る非常用照明器具（Ｘ３）において、第１導光体（２１Ｃ）及び第２導光体（２１Ｄ）はそれぞれ、第１導光体（２１Ｃ）及び第２導光体（２１Ｄ）の長手方向の端面に入射面（２１０Ｃ、２１０Ｄ）が設けられていることが好ましい。第１導光体（２１Ｃ）及び第２導光体（２１Ｄ）はそれぞれ、入射面（２１０Ｃ、２１０Ｄ）からの距離が長くなるに連れて導光体（２１Ｃ、２１Ｄ）の長手方向に直交する断面の面積を小さくするように構成されていることが好ましい。
【０１０５】
第１２の態様に係る非常用照明器具（Ｘ３）は、第１導光体（２１Ｃ）及び第２導光体（２１Ｄ）の長手方向に沿った光量のばらつきを更に抑えることができる。
【０１０６】
本発明の第１３の態様に係る非常用照明器具（Ｘ３）は、第１１又は第１２の態様との組合せにより実現され得る。第１３の態様に係る非常用照明器具（Ｘ３）において、第２光源ユニット（２）は、第１固体発光素子（第１ＬＥＤ２０Ａ）と第２固体発光素子（第２ＬＥＤ２０Ｂ）を、第１導光体（２１Ｃ）及び第２導光体（２１Ｄ）を挟んで対向させるように器具本体（３）内に収容されていることが好ましい。
【０１０７】
第１３の態様に係る非常用照明器具（Ｘ３）は、配光特性を広げて器具本体３の左右両側の光量を増やすことができる。
【０１０８】
本発明の第１４の態様に係る非常用照明器具（Ｘ４）は、第１〜第１３のいずれか一つとの組合せにより実現され得る。第１４の態様に係る非常用照明器具（Ｘ４）において、導光体（２１）は、長尺の柱状に形成されることが好ましい。導光体（２１）は、導光体（２１）の長手方向の端面に入射面（２１０）が設けられており、かつ、長手方向の中央部分を器具本体（３）の外に向けて突き出させるように湾曲した形状に形成されていることが好ましい。
【０１０９】
第１４の態様に係る非常用照明器具（Ｘ４）は、配光特性を広げて器具本体３の左右両側の光量を増やすことができる。
【０１１０】
本発明の第１５の態様に係る光源ユニット（第２光源ユニット２）は、第１〜第１４のいずれか一つの非常用照明器具（Ｘ１〜Ｘ４）が備える光源ユニット（第２光源ユニット２）である。第１５の態様に係る光源ユニット（第２光源ユニット２）は、固体発光素子（ＬＥＤ２０）と、長尺の柱状に形成された導光体（２１）とを有している。導光体（２１）は、固体発光素子（ＬＥＤ２０）から放射される光が入射する入射面（２１０）を導光体（２１）の長手方向の端面に有している。導光体（２１）は、入射面（２１０）から入射する光を導光体（２１）の長手方向に沿って入射面（２１０）から離れる向きに導光する。導光体（２１）は、入射面（２１０）から離れる向きに導光する光の一部を導光体（２１）の長手方向に沿った側面から導光体（２１）の外に出射させるように構成されている。
【０１１１】
第１５の態様に係る光源ユニット（第２光源ユニット２）は、特許文献１記載の従来例と比較して長手方向の寸法を短くして容易に小型化を図ることを可能にする。
【符号の説明】
【０１１２】
Ｘ１〜Ｘ４  非常用照明器具
１  第１光源ユニット
２  第２光源ユニット（光源ユニット）
３  器具本体
２０  ＬＥＤ（固体発光素子）
２０Ａ  第１ＬＥＤ（第１固体発光素子）
２０Ｂ  第２ＬＥＤ（第２固体発光素子）
２１  導光体
２１Ａ  上導光体（導光体）
２１Ｂ  下導光体（導光体）
２１Ｃ  第１導光体
２１Ｄ  第２導光体
２２  ケース（反射体）
２１０  入射面
２１１  凹部
２１２  出射面（側面）
３２２  出射窓
【図１】
2019153395.tif 000003
【図２】
2019153395.tif 000004
【図３】
2019153395.tif 000005
【図４】
2019153395.tif 000006
【図５】
2019153395.tif 000007
【図６】
2019153395.tif 000008
【図７】
2019153395.tif 000009
【図８】
2019153395.tif 000010
【図９】
2019153395.tif 000011
【図１０】
2019153395.tif 000012
【図１１】
2019153395.tif 000013
【図１２】
2019153395.tif 000014
【図１３】
2019153395.tif 000015
【図１４】
2019153395.tif 000016
【図１５】
2019153395.tif 000017
【図１６】
2019153395.tif 000018
【図１７】
2019153395.tif 000019